【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
検索クエリをリモートデバイスから受信するステップと、
前記検索クエリの受信に応答して、前記検索クエリに応答する結果の少なくとも2つのセットを生成するステップとを含み、
前記結果の少なくとも2つのセットを生成するステップは、
前記検索クエリが向けられていると判定された地理的位置に対応する複数の検索結果を含むローカル結果セットを生成するステップと、
前記検索クエリが向けられていると判定された地理的位置に対応しない複数の検索結果を含む、前記検索クエリに関する1つ又は複数の非ローカル結果セットを生成するステップとを有し、
前記方法は、
前記検索クエリが向けられていると判定された地理的位置に関する位置特有の検索結果に前記検索クエリが向けられている尤度を示すローカル関連性特徴に基づいて、前記非ローカル結果セットに対する相対的な前記ローカル結果セットの表示の配置を決定するステップを含むことを特徴とするコンピュータ実施される方法。
【請求項２】
前記ローカル結果セットの前記表示の配置は、前記検索クエリが明示的位置識別子を含まない場合に限って前記ローカル関連性特徴に基づき、前記ローカル結果セットの前記表示の配置は、前記検索クエリが明示的位置識別子を含む場合に明示的位置識別子に依存することを特徴とする請求項1に記載の方法。
【請求項３】
前記非ローカル結果セットが、ウェブ検索結果セットを含むことを特徴とする請求項1
または2に記載の方法。
【請求項４】
前記決定された表示の配置での前記リモートデバイスでの表示のためにフォーマットされた、前記ローカル結果セット及び前記1つ又は複数の非ローカル結果セットを前記リモートデバイスに送信するステップをさらに含むことを特徴とする請求項1から4のいずれか1項に記載の方法。
【請求項５】
前記ローカル結果セットの前記表示の配置は、前記検索クエリが高いローカル関連性特徴を有する場合に前記1つ又は複数の非ローカル結果セットの表示の配置の前にあることを特徴とする請求項1から4のいずれか1項に記載の方法。
【請求項６】
前記検索クエリが、高いローカル関連性特徴を有する場合に、前記ローカル結果セットが、前記検索クエリに応答して表示され、前記1つ又は複数の非ローカル結果セットが、表示されるのではなく表示可能にされることを特徴とする請求項1から4のいずれか1項に記載の方法。
【請求項７】
前記ローカル関連性特徴が、ローカル結果に特に関連する又はローカル結果に特に非関連であると事前に判定された検索クエリのリストから生成されることを特徴とする請求項1から6のいずれか1項に記載の方法。
【請求項８】
前記ローカル関連性特徴が、以前の検索クエリに関してトレーニングされた機械学習システムによって生成されることを特徴とする請求項1から6のいずれか1項に記載の方法。
【請求項９】
前記ローカル関連性特徴が、前記検索クエリに適用されるルールのセットに基づいて生成されることを特徴とする請求項8に記載の方法。
【請求項１０】
ルールの前記セットが、クエリ言語、クエリ領域位置、又はクエリに関する検索結果の品質からなるグループから選択された複数の要因を分析することによって生成されることを特徴とする請求項9に記載の方法。
【請求項１１】
ある位置が前記リモートデバイスに関連しているかどうかを判定するステップと、前記非ローカル結果セットに対する相対的な前記ローカル結果セットの前記表示の配置を変更するのに必要な特徴のレベルに影響を与えるステップとをさらに含むことを特徴とする請求項1から10のいずれか1項に記載の方法。
【請求項１２】
カテゴリに向けられる各結果セットと前記検索クエリとの間の相関が減少する順でタブ付きアレイに表示されるように前記ローカル結果セット及び前記1つ又は複数の非ローカル結果セットをフォーマットするステップをさらに含むことを特徴とする請求項1から11のいずれか1項に記載の方法。
【請求項１３】
前記検索クエリが、モバイルデバイスから受信されることを特徴とする請求項1から12のいずれか1項に記載の方法。
【請求項１４】
リモートデバイスから検索要求を受信するとともに、処理するように構成された検索クエリプロセッサと、
前記処理された検索要求を受け取り、ローカル結果グループ及び1つ又は複数の非ローカル結果グループを含む複数のカテゴリ関連検索結果グループを生成する検索エンジンと、
を含む装置であって、
前記ローカル結果グループが、前記検索クエリが向けられていると判定された地理的位置に対応する複数の検索結果を含み、
前記装置が、
前記検索要求のローカル性の特徴に基づいて、ユーザへの提示のための、前記1つ又は複数の非ローカル結果グループに対する相対的な前記ローカル結果グループの表示の配置を決定するローカル結果ランカを含み、
前記ローカル性の特徴が、前記検索クエリが向けられていると判定された地理的位置に関する位置特有の検索結果に前記検索クエリが向けられている尤度を示すことを特徴とする装置。
【請求項１５】
選択可能なタブのアレイを用いて前記リモートデバイス上のグラフィカルユーザインターフェース内に表示されるようにウェブ文書内の前記複数のカテゴリ関連検索結果グループをフォーマットする結果フォーマッタをさらに含み、前記選択可能なタブのそれぞれが、情報の異なるカテゴリに対応することを特徴とする請求項14に記載の装置。
【請求項１６】
前記ローカル結果ランカが、ローカル結果に特に関連する又はローカル結果に特に非関連であると事前に判定された検索クエリのリストを使用して、前記ローカル関連性特徴を生成することを特徴とする請求項14または15に記載の装置。
【請求項１７】
前記ローカル結果ランカが、前記ローカル関連性特徴を生成するために、以前の検索クエリに関してトレーニングされた機械学習システムを使用することを特徴とする請求項14または15に記載の装置。
【請求項１８】
前記関連性特徴が、前記検索クエリに適用されるルールのセットに基づいて生成されることを特徴とする請求項17に記載の装置。
【請求項１９】
前記ルールのセットが、クエリ言語、クエリ領域位置、又はクエリに関する検索結果の品質からなるグループから選択された複数の要因を分析することによって生成されることを特徴とする請求項18に記載の装置。
【請求項２０】
前記ローカル結果ランカが、ある位置が前記リモートデバイスに関連しているかどうかを判定するとともに、前記判定に基づいて、前記非ローカル結果セットに対する相対的な前記ローカル結果セットの前記表示の配置を変更するのに必要な特徴のレベルに影響を与えることを特徴とする請求項14から19のいずれか1項に記載の装置。
【請求項２１】
リモートデバイスから検索要求を受信するとともに、処理するように構成された検索クエリプロセッサと、
前記処理された検索要求を受け取るとともに、ローカル結果グループ及び1つ又は複数の非ローカル結果グループを含む複数のカテゴリ関連検索結果グループを生成する検索エンジンと、
を含む装置であって、
前記ローカル結果グループが、前記検索クエリが向けられていると判定された地理的位置に対応する複数の検索結果を含み、
前記装置が、
前記検索要求のローカル性の特徴に基づいて、ユーザへの提示のための、前記1つ又は複数の非ローカル結果グループに対する相対的な前記ローカル結果グループの位置を決定する手段を含み、
前記ローカル性の特徴が、前記検索クエリが向けられていると判定された地理的位置に関する位置特有の検索結果に前記検索クエリが向けられている尤度を示すことを特徴とする装置。
【請求項２２】
図面を参照して実質的に記載された、提示の配置及びカテゴリ関連検索結果に関する方法。
【請求項２３】
図面を参照して実質的に記載された、提示の配置及びカテゴリ関連検索結果に関する装置。